(57)【要約】【課題】  ＰＤＣ携帯電話機用アンテナをＣＤＭＡ携帯電話機で使用することができる携帯電話機用アンテナ変換コネクタを提供する。【解決手段】  周波数帯域９２０ＭＨｚのアンテナエレメント２１に電気的に接続されるアンテナ接続端子２７を有するＰＤＣコネクタ部２６を備えたＰＤＣ携帯電話機用アンテナ２をＣＤＭＡ携帯電話機６で使用するコネクタであって、ＰＤＣコネクタ部２６が嵌合接続されるコネクタ凹部４２、及びＣＤＭＡ携帯電話機６のインターフェイスコネクタ１７に嵌合接続されるＣＤＭＡコネクタ凸部４３を有するコネクタ本体４１と、コネクタ凹部４２に設けられ、コネクタ凹部４２にＰＤＣコネクタ部２６が嵌合接続されたとき、アンテナ接続端子２７に電気的に接続される第１端子４４と、ＣＤＭＡコネクタ凸部４３に設けられ、第１端子４４に電気的に接続されていると共にＣＤＭＡコネクタ凸部４３がインターフェイスコネクタ１７に嵌合接続されたとき、インターフェイスコネクタ１７のアンテナ端子１８に電気的に接続される第２端子４６と、を備える。【選択図】        図１
2005222917.tif 000002
【特許請求の範囲】
【請求項１】
周波数帯域９２０ＭＨｚのアンテナエレメントに電気的に接続されているアンテナ接続端子を有するＰＤＣコネクタ部を備えたＰＤＣ携帯電話機用アンテナをＣＤＭＡ携帯電話機で使用するコネクタであって、
前記ＰＤＣコネクタ部が嵌合接続されるコネクタ凹部、及び前記ＣＤＭＡ携帯電話機のインターフェイスコネクタに嵌合接続されるＣＤＭＡコネクタ凸部を有するコネクタ本体と、
前記コネクタ凹部に設けられ、該コネクタ凹部に前記ＰＤＣコネクタ部が嵌合接続されたとき、前記アンテナ接続端子に電気的に接続される第１端子と、
前記ＣＤＭＡコネクタ凸部に設けられ、前記第１端子に電気的に接続されていると共に、前記ＣＤＭＡコネクタ凸部がインターフェイスコネクタに嵌合接続されたとき、該インターフェイスコネクタのアンテナ端子に電気的に接続される第２端子と、を備えたことを特徴とする携帯電話機用アンテナ変換コネクタ。
【請求項２】
前記コネクタ凹部に設けられ、該コネクタ凹部と前記ＰＤＣコネクタ部とが嵌合接続されたとき、前記ＰＤＣコネクタ部のアンテナアース端子に電気的に接続される第１アース端子と、
前記ＣＤＭＡコネクタ凸部に設けられ、前記第１アース端子に電気的に接続されていると共に、前記ＣＤＭＡコネクタ凸部とインターフェイスコネクタとが嵌合接続されたとき、該インターフェイスコネクタのアンテナアース端子に電気的に接続される第２アース端子と、を備えたことを特徴とする請求項１に記載の携帯電話機用アンテナ変換コネクタ。
【請求項３】
前記コネクタ本体が、矩形箱状に形成され、該コネクタ本体の一面に、前記コネクタ凹部が設けられていると共に、該コネクタ凹部が設けられている面と対向する面に、前記ＣＤＭＡコネクタ凸部が設けられていることを特徴とする請求項１又は２に記載の携帯電話機用アンテナ変換コネクタ。
【請求項４】
前記請求項１乃至３のいずれか１項に記載の携帯電話機用アンテナ変換コネクタと、前記ＰＤＣ携帯電話機用アンテナと、を備えたことを特徴とする携帯電話機用アンテナ。
【発明の詳細な説明】
【技術分野】
【０００１】  本発明は、ＰＤＣ携帯電話機用アンテナをＣＤＭＡ携帯電話機で使用することができる携帯電話機用アンテナ変換コネクタ及びその携帯電話機用アンテナ変換コネクタを備えた携帯電話機用アンテナに関するものである。
【背景技術】
【０００２】  近年、携帯電話機は、急速に老若男女多数の人に使用されており、技術の発達と共に、多数の機能、例えばメールやインターネット等の機能が備わったものとなっている。
携帯電話機の送受信の感度も技術の発達と共に良好になってきているが、建物、例えば自宅の部屋の中では、場所によって感度が良くない場所がある。つまり、部屋によっては、部屋の中が電波シールドされていて電波状況（感度）が良くない場所がある。その場合、感度が良好な状態で通話をするには、窓の近くに行ったり別の部屋に行ったりしなければならず面倒であった。携帯電話機に携帯電話機用アンテナ（外部アンテナ）を接続することにより、携帯電話機の感度を良好にすることができる（例えば、特許文献１参照。）。【０００３】  携帯電話機用アンテナとしては、携帯電話機のインターフェイスコネクタに電気的に接続されるコネクタ部と、そのコネクタ部にケーブルを介して接続され、携帯電話機の送受信の感度を良好にするアンテナ部とからなるものである。そのアンテナ部を例えば窓ガラスに取り付けると共に、コネクタ部を携帯電話機のインターフェイスコネクタに電気的に接続することにより、携帯電話機の送受信の感度は部屋の中の全ての場所で良好な状態になり、感度を気にすることなく通話等を行うことができる。
【特許文献１】特開２００１−６９２３０号公報
【発明の開示】
【発明が解決しようとする課題】
【０００４】  ところで、市販されている携帯電話機の多くは、ＰＤＣ（Ｐｅｒｓｏｎａｌ  Ｄｉｇｉｔａｌ  Ｃｅｌｌｕｌａｒｓｙｓｔｅｍ：デジタル携帯電話）とＣＤＭＡ（Ｃｏｄｅ  Ｄｉｖｉｓｉｏｎ  Ｍｕｌｔｉｐｌｅ  Ａｃｃｅｓｓ：符号分割多重接続）との２つの方式を利用したものである。ＰＤＣ方式を利用した携帯電話機とＣＤＭＡ方式を利用した携帯電話機とでは、インターフェイスコネクタの嵌合形状が異なると共に、送受信する信号の周波数が異なる。【０００５】  このため、携帯電話機用アンテナとしては、ＰＤＣ携帯電話機用アンテナとＣＤＭＡ携帯電話機用アンテナとの２種類があり、２種類の携帯電話機用アンテナが販売されていると間違って別の種類の携帯電話機用アンテナを購入することもあり得る。その場合には、購入した携帯電話機用アンテナが無駄になってしまう。また、ＰＤＣ携帯電話機とＣＤＭＡ携帯電話機との２種類を持っている場合には、携帯電話機用アンテナも２種類必要となり、不便であると共に保管場所も必要になってくる。【０００６】  そこで、本発明は、このような実情に鑑みなされたものであり、その目的は、ＰＤＣ携帯電話機用アンテナをＣＤＭＡ携帯電話機で使用することができる携帯電話機用アンテナ変換コネクタ及びその携帯電話機用アンテナ変換コネクタを備えた携帯電話機用アンテナを提供することにある。
【課題を解決するための手段】
【０００７】  前記の目的を達成するための本発明の携帯電話機用アンテナ変換コネクタは、周波数帯域９２０ＭＨｚのアンテナエレメントに電気的に接続されるアンテナ接続端子を有するＰＤＣコネクタ部を備えたＰＤＣ携帯電話機用アンテナをＣＤＭＡ携帯電話機で使用するコネクタであって、前記ＰＤＣコネクタ部が嵌合接続されるコネクタ凹部、及び前記ＣＤＭＡ携帯電話機のインターフェイスコネクタに嵌合接続されるＣＤＭＡコネクタ凸部を有するコネクタ本体と、前記コネクタ凹部に設けられ、該コネクタ凹部に前記ＰＤＣコネクタ部が嵌合接続されたとき、前記アンテナ接続端子に電気的に接続される第１端子と、前記ＣＤＭＡコネクタ凸部に設けられ、前記第１端子に電気的に接続されていると共に、前記ＣＤＭＡコネクタ凸部がインターフェイスコネクタに嵌合接続されたとき、該インターフェイスコネクタのアンテナ端子に電気的に接続される第２端子と、を備えたことを特徴とする。【０００８】  この発明によれば、コネクタ本体のコネクタ凹部とＰＤＣ携帯電話機用アンテナのＰＤＣコネクタ部とを嵌合接続すると共に、コネクタ本体のＣＤＭＡコネクタ凸部とＣＤＭＡ携帯電話機のインターフェイスコネクタとを嵌合接続することにより、第１端子及び第２端子を介してＰＤＣ携帯電話機用アンテナの周波数帯域９２０ＭＨｚのアンテナエレメントとＣＤＭＡ携帯電話機のアンテナ端子とが電気的に接続されるので、ＰＤＣ携帯電話機用アンテナをＣＤＭＡ携帯電話機で使用することができる。【０００９】  本発明の携帯電話機用アンテナ変換コネクタにおいて、前記コネクタ凹部に設けられ、該コネクタ凹部と前記ＰＤＣコネクタ部とが嵌合接続されたとき、前記ＰＤＣコネクタ部のアンテナアース端子に電気的に接続される第１アース端子と、前記ＣＤＭＡコネクタ凸部に設けられ、前記第１アース端子に電気的に接続されていると共に、前記ＣＤＭＡコネクタ凸部とインターフェイスコネクタとが嵌合接続されたとき、該インターフェイスコネクタのアンテナアース端子に電気的に接続される第２アース端子と、を備えたことが好ましい。また、本発明の携帯電話機用アンテナ変換コネクタにおいて、前記コネクタ本体が、矩形箱状に形成され、該コネクタ本体の一面に、前記コネクタ凹部が設けられていると共に、該コネクタ凹部が設けられている面と対向する面に、前記ＣＤＭＡコネクタ凸部が設けられていることが好ましい。【００１０】  また、本発明の携帯電話機用アンテナは、前記の携帯電話機用アンテナ変換コネクタと前記ＰＤＣ携帯電話機用アンテナとを備えたことを特徴とする。この発明によれば、ＰＤＣ携帯電話機用アンテナをＣＤＭＡ携帯電話機で使用することができる携帯電話機用アンテナ変換コネクタを備えているので、ＰＤＣ携帯電話機と共にＣＤＭＡ携帯電話機にもＰＤＣ携帯電話機用アンテナを接続することができる。
【発明の効果】
【００１１】  以上説明したように、本発明の携帯電話機用アンテナ変換コネクタによれば、ＰＤＣ携帯電話機用アンテナをＣＤＭＡ携帯電話機で使用することができる。また、本発明の携帯電話機用アンテナは、ＰＤＣ携帯電話機とＣＤＭＡ携帯電話機との２種類の携帯電話機に使用することができる。
【発明を実施するための最良の形態】
【００１２】  以下、本発明の携帯電話機用アンテナ変換コネクタ及び携帯電話機用アンテナを添付図面に基づいて詳述する。図１は本発明の携帯電話機用アンテナの一例を示す斜視図である。図２は本発明の携帯電話機用アンテナの構成の一例を示す図である。図３は本発明の携帯電話機用アンテナ変換コネクタの一例を示す図である。【００１３】  本発明の携帯電話機用アンテナは、図１及び図２に示すように、ＰＤＣ携帯電話機用アンテナ２と携帯電話機用アンテナ変換コネクタ３とを備えており、ＰＤＣ携帯電話機５とＣＤＭＡ携帯電話機６との２種類の携帯電話機に使用することができるものである。【００１４】  ＰＤＣ携帯電話機５は、ＰＤＣ（Ｐｅｒｓｏｎａｌ  Ｄｉｇｉｔａｌ  Ｃｅｌｌｕｌａｒｓｙｓｔｅｍ：デジタル携帯電話）方式を利用した携帯電話機であり、ストレートタイプのものでも図１に示すように二つ折りタイプのものでもどちらのタイプであってもよい。ＰＤＣ携帯電話機５の端面のほぼ中央部には、アンテナの接続、通信データの送受信、内蔵されている充電可能な内蔵電池（バッテリー）の充電等を行えるようにインターフェイスコネクタ１１が設けられている。【００１５】  このインターフェイスコネクタ１１には、例えば１６個のコネクタ端子（図示せず）を有する端子部１２が設けられていると共に、図１及び図２に示すように、通常２つのアンテナ端子１３、１４及び２つのアンテナアース端子１５、１６がそれぞれ設けられている。２つのアンテナ端子１３、１４は、一方が周波数帯域９２０ＭＨｚ用の受信用の第１アンテナ端子１３であり、他方が周波数帯域８５０ＭＨｚ用の送受信用の第２アンテナ端子１４であり、略同一の円筒状に形成されている。アンテナアース端子１５、１６は、第１、第２アンテナ端子１３、１４より径が大きな寸法の円筒状に形成されており、第１、第２アンテナ端子１３、１４の外周をそれぞれ覆うように第１、第２アンテナ端子１３、１４とほぼ同軸上に設けられている。すなわち、第１、第２アンテナ端子１３、１４とアンテナアース端子１５、１６とは１つの組になっており、これらの２組が端子部１２の両端部の近傍にそれぞれ配設されている。インターフェイスコネクタ１１は、未使用時、ゴミ等が入らないようにカバー（図示せず）が装着されている。なお、本発明において周波数帯域９２０ＭＨｚとは、９２０ＭＨｚの周波数と９２０ＭＨｚの前後の周波数とが含まれる周波数のことをいう。また、本発明において周波数帯域８５０ＭＨｚとは、８５０ＭＨｚの周波数と８５０ＭＨｚの前後の周波数とが含まれる周波数のことをいう。【００１６】  ＣＤＭＡ携帯電話機６は、ＣＤＭＡ（Ｃｏｄｅ  Ｄｉｖｉｓｉｏｎ  Ｍｕｌｔｉｐｌｅ  Ａｃｃｅｓｓ：符号分割多重接続）方式を利用した携帯電話機であり、ストレートタイプのものでも図１に示すように二つ折りタイプのものでもどちらのタイプであってもよい。ＣＤＭＡ携帯電話機６の端面のほぼ中央部には、アンテナの接続、通信データの送受信、内蔵されている充電可能な内蔵電池（バッテリー）の充電等を行えるようにインターフェイスコネクタ１７が設けられている。【００１７】  このインターフェイスコネクタ１７には、図１及び図２に示すように、通常１つの��ンテナ端子１８及びアンテナアース端子１９がそれぞれ設けられている。アンテナ端子１８は、周波数帯域９２０ＭＨｚ用の送受信用の端子であり、円筒状に形成されている。アンテナアース端子１９は、アンテナ端子１８より径が大きな寸法の円筒状に形成されており、アンテナ端子１８の外周を覆うようにアンテナ端子１８とほぼ同軸上に設けられている。すなわち、アンテナ端子１８とアンテナアース端子１９とは１つの組になっている。インターフェイスコネクタ１７は、未使用時、ゴミ等が入らないようにカバー（図示せず）が装着されている。【００１８】  このＣＤＭＡ携帯電話機６のインターフェイスコネクタ１７とＰＤＣ携帯電話機５のインターフェイスコネクタ１１とは形状が異なるため、両方のインターフェイスコネクタ１７、１１に接続するコネクタはない。なお、同一の方式を利用した携帯電話機では、メーカーや機種によってインターフェイスコネクタの形状は多少の違いがあるが、これは１つの形状のコネクタで対応可能であるので、その場合には、インターフェイスコネクタの形状が同一とする。【００１９】  ＰＤＣ携帯電話機用アンテナ２は、ＰＤＣ携帯電話機５のインターフェイスコネクタ１１に接続されて使用されるアンテナであれば市販のものでもよく特に限定されるものではないが、周波数帯域９２０ＭＨｚのアンテナエレメント２１と、周波数帯域８５０ＭＨｚのアンテナエレメント２２とを備えたものである。ＰＤＣ携帯電話機用アンテナ２は、例えば、ＰＤＣ携帯電話機５のインターフェイスコネクタ１１に接続されるコネクタ部２３と、そのコネクタ部２３にアンテナケーブル２４を介して電気的に接続されているアンテナ本体（外部アンテナ）２５とからなる。【００２０】  コネクタ部２３は、ＰＤＣ携帯電話機５のインターフェイスコネクタ１１に挿入されて嵌合接続されるオス型のＰＤＣコネクタ部２６を有する。【００２１】  ＰＤＣコネクタ部２６は、メーカーや機種が異なる２つ以上のＰＤＣ携帯電話機５のインターフェイスコネクタ１１に接続できる互換性のあるオス型のコネクタであって、断面ほぼ細長の矩形状に形成されている。ＰＤＣコネクタ部２６には、２つのアンテナ接続端子２７、２８及び２つのアンテナアース接続端子２９、３０が設けられており、ＰＤＣコネクタ部２６とＰＤＣ携帯電話機５のインターフェイスコネクタ１１とが嵌合接続されたとき、２つのアンテナ接続端子２７、２８がＰＤＣ携帯電話機５の第１、第２アンテナ端子１３、１４にそれぞれ個別に電気的に接続されると共に、２つのアンテナアース接続端子２９、３０が２つのアンテナアース端子１５、１６にそれぞれ個別に電気的に接続されるようになっている。２つのアンテナ接続端子２７、２８のうちの第１アンテナ端子１３に接続される端子は第１アンテナ接続端子２７であり、残りの端子が第２アンテナ接続端子２８である。【００２２】  第１、第２アンテナ接続端子２７、２８は、ＰＤＣコネクタ部２６がＰＤＣ携帯電話機５のインターフェイスコネクタ１１に嵌合接続されたとき、第１、第２アンテナ端子１３、１４内に嵌合される略同一の棒状に形成されている。２つのアンテナアース接続端子２９、３０は、ＰＤＣコネクタ部２６をＰＤＣ携帯電話機５���インターフェイスコネクタ１１に嵌合接続したとき、アンテナアース端子内に嵌合される略同一の円筒状に形成されており、第１、第２アンテナ接続端子２７、２８の外周をそれぞれ覆うように第１、第２アンテナ接続端子２７、２８とほぼ同軸上に設けられている。【００２３】  ＰＤＣコネクタ部２６の壁部であって幅の長い両壁部（両長壁部）には、インターフェイスコネクタ１１の対応する内壁とそれぞれ嵌合し得るように溝や突条（図示せず）が複数設けられている。すなわち、ＰＤＣコネクタ部２６をインターフェイスコネクタ１１に挿入して嵌合接続するとき、長壁部を逆に（ＰＤＣコネクタ部２６を上下左右を逆に）挿入しようとしても、挿入できないような形状に両長壁部が形成されている。【００２４】  ＰＤＣコネクタ部２６には、インターフェイスコネクタ１１に挿嵌したとき、ＰＤＣコネクタ部２６がインターフェイスコネクタ１１から抜け難くする抜出抑制部３１が設けられていることが好ましい。この抜出抑制部３１はコネクタ部２３に設けられている操作部３２によって操作されることが好ましい。【００２５】  アンテナ本体２５は、コネクタ部２３にアンテナケーブル２４を介して電気的に接続されている。アンテナケーブル２４としては、どのようなケーブル（電線）であってもよく、例えば、内部導体上に絶縁層を有する同軸ケーブルや編組を有する同軸ケーブル（内部導体上に絶縁層を介して編組が設けられてなる同軸ケーブル）等が挙げられ、編組を有する同軸ケーブルが好ましい。アンテナケーブル２４は、携帯電話機のアンテナ端子の数に応じた本数のケーブルからなり、例えば編組３４ｂ、３５ｂを有する２本の第１、第２同軸ケーブル３４、３５からなる。【００２６】  アンテナ本体２５は、携帯電話機の送受信の感度を良好にするものであればどのようなものでもよい。アンテナ本体２５は、例えば、絶縁材料によりほぼコ字状に形成されている。アンテナ本体の２つの側部３６、３７には、それぞれ第１アンテナエレメント２１と第２アンテナエレメント２２が設けられている。【００２７】  これらアンテナエレメントの一方例えば第１アンテナエレメント２１は、周波数帯域９２０ＭＨｚのＰＤＣ受信用（ダイバシティ）アンテナエレメントであり、他方の第２アンテナエレメント２２は、周波数帯域８５０ＭＨｚのＰＤＣ送受信用（ダイバシティ）アンテナエレメントである。第１アンテナエレメント２１には、第１アンテナケーブル（編組を有する同軸ケーブル）３４の導体３４ａの一端部が半田付等により電気的に接続され、この導体３４ａの他端部が第１アンテナ接続端子２７に電気的に接続されている。第２アンテナエレメント２２には、第２アンテナケーブル（編組を有する同軸ケーブル）３５の導体３５ａの一端部が半田付等により電気的に接続され、この導体３５ａの他端部が第２アンテナ接続端子２８に電気的に接続されている。【００２８】  また、アンテナ本体２５の２つの側部３６、３７には、それぞれアンテナアース３８、３９が設けられており、これらのアンテナアース３８、３９はそれぞれ個別に第１、第２アンテナケーブル３４、３５の編組３４ｂ、３５ｂの一端部に電気的に接続されている。２本のアンテナケーブル３４、３５の���組３４ｂ、３５ｂの他端部はコネクタ部２３の２つのアンテナアース接続端子２９、３０にそれぞれ個別に電気的に接続されている。【００２９】  アンテナ本体２５には、アンテナ本体２５を電波状況が良い所望の個所、例えば窓ガラスに取り付けるための取付部材（図示せず）が設けられていることが好ましい。取付部材としては、どのようなものでもよく、例えば、１つ又は２つ以上の吸盤でもよいし、両面粘着テープ等の粘着テープや粘着剤などの粘着層等でもよい。このように、アンテナ本体に取付部材を設けることにより、アンテナ本体を所望の箇所に取り付ける（固着する）ことができ、携帯電話機の感度を常に同じ状態例えば良好な状態に維持することができる。【００３０】  また、アンテナ本体２５は、２つのアンテナエレメント（図示せず）をフィルム状に形成して、これを窓ガラス等に貼付してもよい。この場合、アンテナエレメントの一端部に給電点を設け、この給電点の周囲にマグネットが吸着する金属等の磁性吸着体を設け、かつ、その磁性吸着体に吸着するマグネット（図示せず）を有すると共にマグネットが磁性吸着体に吸着したとき、給電点に電気的に接続されるマグネット吸着コネクターを設けるようにする。【００３１】  本発明の携帯電話機用アンテナ変換コネクタ３は、ＰＤＣ携帯電話機用アンテナ２をＣＤＭＡ携帯電話機６で使用するためのものである。
コネクタ本体４１は、図１乃至図３に示すように、例えば細長の矩形箱状に形成されている。このコネクタ本体４１の一つの面（第１面）にはコネクタ凹部４２が設けられていると共に、第１面と対向する第２面にはＣＤＭＡコネクタ凸部４３が設けられている。【００３２】  コネクタ凹部４２は、ＰＤＣ携帯電話機用アンテナ２のＰＤＣコネクタ部２６と嵌合接続されるメス型のコネクタである。コネクタ凹部４２は、細長のほぼ矩形状に形成されており、対向する２つの長壁部（嵌合方向に対して直交する方向の長さが長い壁部）には、ＰＤＣコネクタ部２６が上下左右に逆に挿入できないように（一方向しか挿入できないように）溝や突部（図示せず）が設けられている。コネクタ凹部４２には、第１端子４４及び第１アース端子４５が設けられている。【００３３】  第１端子４４は円筒状に形成されている。第１アース端子４５は、第１端子４４より径が大きな寸法の円筒状に形成されており、第１端子４４の外周を覆うように第１端子４４とほぼ同軸上に設けられている。これらの第１端子４４及び第１アース端子４５は、コネクタ凹部４２とＰＤＣコネクタ部２６とが嵌合接続されたとき、第１端子４４内に第１アンテナ接続端子２７が挿入されてこれら端子４４、２７が電気的に接続されると共に、第１アース端子４５内にアンテナ接続端子２７が挿入されてこれら端子４５、２７が電気的に接続されるようにコネクタ凹部４２に配置されている。【００３４】  ＣＤＭＡコネクタ凸部４３は、ＣＤＭＡ携帯電話機６のインターフェイスコネクタ１７と嵌合接続されるオス型のコネクタである。ＣＤＭＡコネクタ凸部４３は、断面細長のほぼ矩形状に形成されており、対向する２つの長壁部（嵌合方向に対して直交する方向の長さが長い壁部）は、インターフェイスコネクタ７に上下左右に逆に挿入できないような（一方向しか挿入できないような）形状に形成されている。ＣＤＭＡコネクタ凸部４３には、第１端子４４に電気的に接続されている第２端子４６及び第１アース端子４５に電気的に接続されている第２アース端子４７が設けられている。【００３５】  第２端子４６は、ＣＤＭＡコネクタ凸部４３とＣＤＭＡ携帯電話機６のインターフェイスコネクタ１７とが嵌合接続されたとき、アンテナ端子１８内に挿入されてこれら端子４６、１８が電気的に接続される棒状に形成されている。第２アース端子４７は、ＣＤＭＡコネクタ凸部４３とＣＤＭＡ携帯電話機６のインターフェイスコネクタ１７とが嵌合接続されたとき、アンテナアース端子１９内に挿入されてこれら端子４７、１９が電気的に接続される円筒状に形成されており、第２端子４６の外周をそれぞれ覆うように第２端子４６とほぼ同軸上に設けられている。【００３６】  ＣＤＭＡコネクタ凸部４３には、ＣＤＭＡ携帯電話機６のインターフェイスコネクタ１７に挿入されて嵌合されたとき、ＣＤＭＡコネクタ凸部４３がインターフェイスコネクタ１７から抜け難くする抜出抑制部４８が設けられていることが好ましい。【００３７】  抜出抑制部４８は、特に限定されず、インターフェイスコネクタ１７を形成する内壁又は内壁に設けられた係合部と係合してＣＤＭＡコネクタ凸部４３を係止する係止部４９をそれぞれ一体的に又は個別に設けて構成するようにしてもよい。【００３８】  係止部４９としては、嵌合方向に沿って延在すると共に、長壁部のどちらか一方の両端部近傍に可撓可能に形成されている。係止部４９の外表面には、例えば断面ほぼ半円形状の突部（係合突部）５０が設けられ、この突部５０がＣＤＭＡコネクタ凸部４３の表面から出没可能になるように係止部４９が設けられている。また、係止部４９は、その突部５０が弾性部材（図示せず）によりＣＤＭＡコネクタ凸部４３の表面から突出する方向に付勢されてインターフェイスコネクタ１７の内壁又は係合部と係合し、ＣＤＭＡコネクタ凸部４３がインターフェイスコネクタ１７から抜け難くなっている。【００３９】  また、コネクタ本体４１の任意の一面には、コネクタ本体４１の表面から出没可能な操作部５１が設けられている。操作部５１は、弾性部材（図示せず）によりコネクタ本体４１から突出する方向に付勢され、この操作部５１を指の力によって弾性部材の付勢力に抗してコネクタ本体４１内に没入することにより係止部４９の突部５０がＣＤＭＡコネクタ凸部４３内に没入するように構成されていることが好ましい。【００４０】  さて、本発明の携帯電話機用アンテナ１をＰＤＣ携帯電話機５に用いる場合には、例えば、ＰＤＣ携帯電話機用アンテナ２のアンテナ本体２５を窓ガラスに取り付けると共に、ＰＤＣ携帯電話機用アンテナ２のＰＤＣコネクタ部２６をＰＤＣ携帯電話機５のインターフェイスコネクタ１１に挿入して嵌合接続する。なお、アンテナ本体２５は、窓ガラス等に予め取り付けておいてもよい。【００４１】  ＰＤＣコネクタ部２６をＰＤＣ携帯電話機５のインターフェイスコネクタ１１に嵌合接続することにより、第１アンテナ接続端子２７と第１アンテナ端子１３とが電気的に接続されるので、周波数帯域９２０ＭＨｚのアンテナエレメント２１とＰＤＣ携帯電話機５の第１アンテナ端子１３とが電気的に接続されると共に、第２アンテナ接続端子２８と第１アンテナ端子１４とが電気的に接続されるので、周波数帯域８５０ＭＨｚのアンテナエレメント２１とＰＤＣ携帯電話機５の第２アンテナ端子１４とが電気的に接続されるので、ＰＤＣ携帯電話機５の送受信の感度が良好な状態になる。すなわち、ＰＤＣ携帯電話機５は、受信用の周波数帯域が９２０ＭＨｚと８５０ＭＨｚとの２つ帯域であり、送信用の周波数帯域が８５０ＭＨｚの帯域であるので、ＰＤＣ携帯電話機用アンテナ２を用いてＰＤＣ携帯電話機５の送受信の感度を良好な状態にすることができる。【００４２】  また、ＰＤＣコネクタ部２６をＰＤＣ携帯電話機５のインターフェイスコネクタ１１に嵌合接続することにより、ＰＤＣ携帯電話機用アンテナ２のアンテナアース接続端子２９、３０がＰＤＣ携帯電話機５のアンテナアース端子１５、１６にそれぞれ電気的に接続されて、２つのアンテナアース３８、３９もＰＤＣ携帯電話機５のアンテナアース端子１５、１６に電気的に接続されるので、安定してＰＤＣ携帯電話機５の送受信の感度を良好な状態にすることができる。【００４３】  本発明の携帯電話機用アンテナ１をＣＤＭＡ携帯電話機６に用いる場合には、
2005222917.tif 000003
アンテナ変換コネクタ３のコネクタ凹部４２に挿入して嵌合接続する。なお、ＰＤＣコネクタ部２６を予めコネクタ凹部４２に嵌合接続させておいてもよい。【００４４】  この嵌合接続により、第１アンテナ接続端子２７と第１端子４４とが電気的に接続されることになる。そして、携帯電話機用アンテナ変換コネクタ３のＣＤＭＡコネクタ凸部４３をＣＤＭＡ携帯電話機６のインターフェイスコネクタ１７に嵌合接続する。これにより、第２端子４６がアンテナ端子１８内に挿入されてこれら端子４６、１８が電気的に接続されるので、周波数帯域９２０ＭＨｚのアンテナエレメント２１とＣＤＭＡ携帯電話機６のアンテナ端子１８とが電気的に接続されてＰＤＣ携帯電話機５の送受信の感度が良好な状態になる。すなわち、ＣＤＭＡ携帯電話機６は、受信用の周波数帯域と送信用の周波数帯城とが共通の９２０ＭＨｚ帯域であり、この９２０ＭＨｚ帯域はＰＤＣ携帯電話機用アンテナ２に使用されている。このため、本発明の携帯電話機用アンテナ変換コネクタ３を用いることにより、ＰＤＣ携帯電話機用アンテナ２でＣＤＭＡ携帯電話機６の送受信の感度を良好な状態にすることができる。【００４５】  また、ＣＤＭＡコネクタ凸部４３をＣＤＭＡ携帯電話機６のインターフェイスコネクタ１７に嵌合接続することにより、ＣＤＭＡコネクタ凸部４３の第２アース端子４７がＣＤＭＡ携帯電話機６のアンテナアース端子１９に電気的に接続されて、アンテナアース３８もＣＤＭＡ携帯電話機６のアンテナアース端子１９に電気的に接続されるので、安定してＣＤＭＡ携帯電話機６の送受信の感度を良好な状態にすることができる。【００４６】  したがって、本発明の携帯電話機用アンテナ１は、本発明の携帯電話機用アンテナ変換コネクタ３とＰＤＣ携帯電話機用アンテナ２とを備えるので、ＰＤＣ携帯電話機５とＣＤＭＡ携帯電話機６との２種類の携帯電話機に使用することができる。【００４７】
2005222917.tif 000004
機用アンテナ２に添付することにより、ＰＤＣ携帯電話機用アンテナ２がＣＤＭＡ携帯電話機用アンテナとしても使用することができるので、２種類の携帯電話機用アンテナを販売する必要がなくなる。これにより、間違って別の種類の携帯電話機用アンテナを購入することもなく、無駄になることもない。また、ＰＤＣ携帯電話機５とＣＤＭＡ携帯電話機６との２種類の携帯電話機を持っている場合には、２種類のアンテナを購入する必要もなく無駄を省けると共に、１つのＰＤＣ携帯電話機用アンテナ２を保管する場所が必要になるだけでアンテナを保管する場所も小さくてすむ。
【図面の簡単な説明】
【００４８】
【図１】  本発明の携帯電話機用アンテナの一例を示す斜視図である。
【図２】  本発明の携帯電話機用アンテナの構成の−例を示す図である。
【図３】  本発明の携帯電話機用アンテナ変換コネクタの一例を示す図で、（ａ）は正面図、（ｂ）は平面図、（ｃ）は側面図、（ｄ）は背面図である。
【符号の説明】
【００４９】  １    携帯電話機用アンテナ
２    ＰＤＣ携帯電話機用アンテナ
３    携帯電話機用アンテナ変換コネクタ
５    ＰＤＣ携帯電話機
６    ＣＤＭＡ携帯電話機
１７  インターフェイスコネクタ
１８  アンテナ端子
２１  アンテナエレメント
２２  アンテナエレメント
２６  ＰＤＣコネクタ部
２７  アンテナ接続端子
４１  コネクタ本体
４２  コネクタ凹部
４３  ＣＤＭＡコネクタ凸部
４４  第１端子
４６  第２端子４６
【図１】
2005222917.tif 000005
【図３】
2005222917.tif 000006
【図２】
2005222917.tif 000007